(57)【特許請求の範囲】
【請求項１】
前後輪間に配置されたエンジン（１２）と、このエンジン（１２）の上方から後方に亘って設けられた乗員着座用のシート（１３）と、このシート（１３）の下方に設けられた吸気用エアクリーナケース（３０）とを備えた鞍乗型車両において、
前記シート（１３）の底板（１３ｂ）と対向する前記吸気用エアクリーナケース（３０）の上壁（３５）の一部に空気の取り入れ口（４１）を設けて該取り入れ口（４１）に通じる上壁面に凹部（４２）を形成するとともに、この凹部（４２）と、該凹部（４２）に対向する前記シート（１３）の底板（１３ｂ）とで前記取り入れ口（４１）に連なる吸気通路（４３）を形成し、
前記シート（１３）の底板（１３ｂ）と該底板（１３ｂ）に対向する前記吸気用エアクリーナケース（３０）の上壁（３５）との間に前記取り入れ口（４１）の一端を覆うダクト部（４４）を設けるとともに、該ダクト部（４４）における前記取り入れ口（４１）と対向するガイド壁（４４ｇ）の前記凹部（４２）側に向かう方向の長さ（Ｌ１）を、前記取り入れ口（４１）の長さ（Ｌ２）より短くしたことを特徴とする鞍乗型車両の吸気構造。
【請求項２】
請求項１において、
前記取り入れ口（４１）、凹部（４２）、およびダクト部（４４）は、前記吸気用エアクリーナケース（３０）内に設けられるエレメントを交換する際に開閉される蓋部材（４０）に形成したことを特徴とする鞍乗型車両の吸気構造。
【請求項３】
請求項１または２において、
前記シート（１３）の底板（１３ｂ）には、前記凹部（４２）と対向して上方へ凹むシート側凹部（１３ｃ）を形成したことを特徴とする鞍乗型車両の吸気構造。
【請求項４】
請求項１〜３のうちいずれか一項において、
前記取り入れ口（４１）は、車両前後方向において、前記吸気用エアクリーナケース（３０）の端部に設け、前記シート側凹部（１３ｃ）はシート（１３）の長手方向に沿って前後方向に形成したことを特徴とする鞍乗型車両の吸気構造。
【請求項５】
請求項１〜４のうちいずれか一項において、
前記シート（１３）は該シート（１３）の左右において前後方向に延びるフレーム（２２ｓ）の上方に支持され、前記吸気通路（４３）の左右の側壁が、前記フレーム（２２ｓ）にて形成されることを特徴とする鞍乗型車両の吸気構造。
【発明の詳細な説明】
【技術分野】
【０００１】
本発明は、鞍乗型車両の吸気構造に関するものである。
【背景技術】
【０００２】
従来、鞍乗型車両の吸気構造として、例えば特許文献１に見られるような鞍乗型車両の吸気構造が知られている。同文献の符号を借りて説明すると、この鞍乗型車両の吸気構造は、前後輪（２４，２８）間に配置されたエンジン（７）と、このエンジン（７）の上方から後方に亘って設けられた乗員着座用のシート（１４）と、このシート（１４）の下方に設けられた吸気用エアクリーナケース（６０）とを備え、吸気用エアクリーナケース（６０）に空気を取り入れる取り入れ口を形成するダクト（７２）がケースの後部から後方に向かって開口している。
【先行技術文献】
【特許文献】
【０００３】
【特許文献１】特開２００９−２３４４０２号公報
【発明の概要】
【発明が解決しようとする課題】
【０００４】
上述した従来の鞍乗型車両の吸気構造では、吸気用エアクリーナケース（６０）に空気を取り入れる取り入れ口を形成するダクト（７２）がケース（６０）の後部から後方に向かって開口しているので、シート下の限られたスペースで所望のダクト長を得るのが必ずしも容易ではなかった。
本発明が解決しようとする課題は、シート下に配置される吸気用エアクリーナケースについてダクト長の自由度を高めることのできる鞍乗型車両の吸気構造を提供することである。
【課題を解決するための手段】
【０００５】
上記課題を解決するために本発明の鞍乗型車両の吸気構造は、
前後輪間に配置されたエンジンと、このエンジンの上方から後方に亘って設けられた乗員着座用のシートと、このシートの下方に設けられた吸気用エアクリーナケースとを備えた鞍乗型車両において、
前記吸気用エアクリーナケースの上壁の一部に空気の取り入れ口を設けて該取り入れ口に通じる上壁面に凹部を形成するとともに、この凹部と、該凹部に対向する前記シートの底板とで前記取り入れ口に連なる吸気通路を形成し、
前記シートの底板と該底板に対向する前記吸気用エアクリーナケースの上壁（３５）との間に前記取り入れ口の一端を覆うダクト部を設けるとともに、該ダクト部における前記取り入れ口と対向するガイド壁の前記凹部側に向かう方向の長さを、前記取り入れ口の長さより短くしたことを特徴とする。
【０００６】
この鞍乗型車両の吸気構造によれば、吸気用エアクリーナケースの上壁の一部に空気の取り入れ口が設けられ、前記凹部とシートの底板とで前記取り入れ口に連なる吸気通路が形成される。
この吸気通路は、完全なダクトとは言えないが、吸気用エアクリーナケースの上壁面の凹部とシートの底板とによってダクトに近い吸気通路（いわば疑似ダクト）として構成することができる。
したがってこの発明によれば、ケースの後部から後方に向かってダクトを設けた従来技術に比べて、上記吸気通路（いわば疑似ダクト）を長く形成することが可能であり、それだけダクト長の自由度を高めることができる。しかも、上記疑似ダクトの上部はシートの底板によって形成されるから、その分、吸気用エアクリーナケースの容量も確保しやすくなる。結果として、吸気用エアクリーナケースの吸気性能を向上させることが可能になる。
【０００７】
前記取り入れ口、凹部、およびダクト部は、前記吸気用エアクリーナケース内に設けられるエレメントを交換する際に開閉される蓋部材に形成した構成とすることができる。
このように構成すると、取り入れ口、凹部、およびダクト部が蓋部材に形成されるので、取り入れ口および凹部をケース本体に形成する場合に比べて容易に形成することができる。
【０００８】
前記シートの底板には、前記凹部と対向して上方へ凹むシート側凹部を形成することができる。
このように構成すると、吸気通路の横断面積の大きさの自由度が高まると同時に、シートの底板の剛性が高められる。結果として、乗り心地を高めつつ軽量化を図ることが可能になる。
【０００９】
前記取り入れ口は、車両前後方向において、前記吸気用エアクリーナケースの端部に設け、前記シート側凹部はシートの長手方向に沿って前後方向に形成した構成とすることができる。
このように構成すると、疑似ダクトをより長く形成して吸気効率を高めることが可能になると同時に、シートの剛性も高めることができる。
【００１０】
前記シートは該シートの左右において前後方向に延びるフレームの上方に支持され、前記吸気通路の左右の側壁が、前記フレームにて形成される構成とすることができる。
このように構成すると、フレームを有効利用して長い疑似ダクトを形成することができ、車両の軽量化も図ることができる。
【図面の簡単な説明】
【００１１】
【図１】本発明に係る鞍乗型車両の吸気構造の実施の形態を適用した鞍乗型車両の一例である自動二輪車の側面図。
【図２】同自動二輪車の車体フレームの側面図。
【図３】図１の部分拡大図。
【図４】図１におけるサイドカバーを取り外した状態の部分拡大図。
【図５】吸気用エアクリーナケースの斜視図。
【図６】図４における部分省略６−６断面図。
【図７】吸気用エアクリーナケース正面図。
【図８】図７における８−８断面およびＮ−Ｎ断面を示す図。
【図９】蓋部材の平面、Ｐ−Ｐ断面、および側面を示す図。
【図１０】ケース本体３０ｂと蓋部材４０との係合構造の説明図。
【図１１】シートの側断面および各部断面を示す図。
【図１２】シートの底面図。
【図１３】サイドカバーおよび開口を斜め後方下方から見た斜視図。
【図１４】図３における部分省略１４−１４断面図。
【図１５】上カバーの平面図。
【図１６】上カバーの側面および各部断面を示す図。
【図１７】下カバーの平面図。
【発明を実施するための形態】
【００１２】
以下、本発明に係る鞍乗型車両の吸気構造の実施の形態について図面を参照して説明する。なお、各図において、同一部分ないし相当する部分には、同一の符号を付してある。
【００１３】
図１に示す鞍乗型車両１０は自動二輪車であり、前後輪１１ｆ、１１ｒ間に配置されたエンジン１２と、このエンジン１２の上方から後方にわたって設けられた乗員Ｍの着座用のシート１３と、このシート１３の下方で前後輪１１ｆ、１１ｒ間に設けられた乗員Ｍの足載せ用のステップ１４と、エンジン１２の後方で前記シート１３の下方に設けられた吸気用エアクリーナケース３０と、シート１３の下方において吸気用エアクリーナケース（以下単にクリーナケースとも言う）３０の側面を覆うサイドカバー１５と、これら各部品（前後輪１１ｆ、１１ｒ、エンジン１２、シート１３、ステップ１４、吸気用エアクリーナケース３０、サイドカバー１５）が取り付けられる車体フレーム２０とを備えている。
【００１４】
図２に示すように、車体フレーム２０は、メインフレーム２１と、このメインフレーム２１の後部に連結されたリアフレーム２２とを備えている。
メインフレーム２１は、ヘッドパイプ２１ｈと、このヘッドパイプ２１ｈから後方へ延びるメインパイプ２１ｍと、このメインパイプ２１ｍの後部から斜め後方下方へ延びるピボットプレート２１ｐと、前記ヘッドパイプ２１ｈから斜め後方下方へ延びるダウンパイプ２１ｄと、このダウンパイプ２１ｄ下端と前記ピボットプレート２１ｐとを連結するロアパイプ２１ｂと、エンジン取付部２１ｅとを備えている。
【００１５】
図１，図２に示すように、ヘッドパイプ２１ｈに操舵装置２２が取り付けられ、その一対のフロントフォーク２２ｆの下端に前輪１１ｆが回転可能に取り付けられる。エンジン取付部２１ｅにエンジン１２が取り付けられる。ピボットプレート２１ｐにピボット軸２３ｐでスイングアーム２３が揺動可能に取り付けられ、その後端に後輪１１ｒが回転可能に取り付けられる。後輪１１ｒはエンジン１２により、ドライブチェーン１１ｄを介して駆動される。ピボットプレート２１ｐには、左右一対のステップ１４が固定される。メインパイプ２１ｍには、シート１３の前部において燃料タンク１６が取り付けられる。
【００１６】
図２〜図４に示すように、リアフレーム２２は、シート１３を支持するシート支持部２２ｓと、このシート支持部２２ｓを斜め下方から支える傾斜部２２ｃとを備えている。シート支持部２２ｓは、略水平方向に延びる左右一対のシートレール２２ｓ１（一方のみ図示）と、このシートレール２２ｓ１の後方やや上向きに延びる左右一対の後部プレート２２ｓ２とを有し、後部プレート２２ｓ２を介して傾斜部２２ｃが固定されている。リアフレーム２２は、その先端がボルトナット（図示せず）でメインフレーム２１に締結固定されることでメインフレーム２１に連結されている。
【００１７】
リアフレーム２２の後部プレート２２ｓ２には、シート固定部２２ｓ３、エアクリーナケース固定部２２ｓ４、サイドカバー固定部２２ｓ５、マフラー固定部２２ｓ７が設けられている。シート固定部２２ｓ３にシート１３が、エアクリーナケース固定部２２ｓ４にクリーナケース３０の後部が、サイドカバー固定部２２ｓ５にサイドカバー１５が、マフラー固定部２２ｓ７にマフラー１７が、それぞれボルトナット（図示せず）で締結固定される。
【００１８】
図４〜図６に示すように、この実施の形態の鞍乗型車両の吸気構造は、吸気用エアクリーナケース３０の上壁３５の一部に空気の取り入れ口４１を設けて該取り入れ口４１に通じる上壁面に凹部４２を形成するとともに、この凹部４２と、該凹部４２に対向するシート１３の底板１３ｂとで前記取り入れ口４１に連なる吸気通路４３を形成したことを特徴とする。
【００１９】
この鞍乗型車両の吸気構造によれば、吸気用エアクリーナケース３０の上壁３５の一部に空気の取り入れ口４１が設けられ、前記凹部４２とシート１３の底板１３ｂとで取り入れ口４１に連なる吸気通路４３が形成される。
この吸気通路４３は、完全なダクトとは言えないが、吸気用エアクリーナケース３０の上壁面の凹部４２とシート１３の底板１３ｂとによってダクトに近い吸気通路（いわば疑似ダクト）として構成される。
【００２０】
したがってこの実施の形態によれば、クリーナケースの後部から後方に向かってダクトを設けた従来技術に比べて、上記吸気通路（以下、疑似ダクトともいう）４３を長く形成することが可能であり、それだけダクト長の自由度を高めることができる。しかも、上記疑似ダクト４３の上部はシート１３の底板１３ｂによって形成されるから、その分、吸気用エアクリーナケース３０の容量も確保しやすくなる。結果として、吸気用エアクリーナケース３０の吸気性能を向上させることが可能になる。
【００２１】
図５〜図８に示すように、吸気用エアクリーナケース３０は、ケース本体３０ｂと、コネクティングチューブ３０ｃと、蓋部材４０とを有している。
ケース本体３０ｂの前板３６には、図８に示すように、クリーナエレメント３７を支持するエレメント支持部３６ｂが一体に設けられている。クリーナエレメント３７は、該クリーナエレメント３７を支持するエレメントベース３８に対して交換可能に装着され、エレメントベース３８とともに、ネジ３６ｓでエレメント支持部３６ｂに対して着脱可能に取り付けられる。前板３６は複数本（図７に示すものは４本）のビス３６ｖでケース本体３０ｂの前面に締結固定されている。
蓋部材４０は、ケース本体３０ｂの上壁３５に設けられた上部開口３５ｃに対し開閉可能に設けられている。
クリーナエレメント３７の交換作業は、蓋部材４０を開けることによって行うことができる。
【００２２】
ケース本体３０ｂの一方の側面３１には、側方からの空気を取り入れる側部取り入れ口３２が設けられている。側部取り入れ口３２は、ケース本体３０ｂに取り付けたダクト部材３２ｄで形成されている。
【００２３】
コネクティングチューブ３０ｃは、前板３６に設けられた開口３６ｃと、スロットルボディ１２ｓ（図１参照）とを接続し、スロットルボディ１２ｓを介してエンジン１２へ向かう吸気通路３４（図５）を形成する。
【００２４】
したがって、上記取り入れ口４１および側部取り入れ口３２からケース本体３０ｂ内に取り入れられた空気は、クリーナエレメント３７で浄化された後、コネクティングチューブ３０ｃおよびスロットルボディ１２ｓを通じてエンジン１２へ供給される。なお、３０ｃ１，３０ｃ２はそれぞれブリーザーチューブの接続用パイプである。
【００２５】
図５，図６，図９に示すように、取り入れ口４１および凹部４２は、エレメント３７を交換する際に開閉される蓋部材４０に形成されている。蓋部材４０には、取り入れ口４１の一端（凹部４２側の部位４１ｆ以外の部位）４１ｒを覆うダクト部４４が形成されている。図９に示すように、ダクト部４４における取り入れ口４１と対向するガイド壁４４ｇの前記凹部４２側に向かう方向の長さＬ１は、取り入れ口４１の長さＬ２より短くなっている。
【００２６】
このように構成すると、取り入れ口４１および凹部４２が蓋部材４０に形成されるので、取り入れ口４１および凹部４２をケース本体３０ｂに形成する場合に比べて容易に形成することができる。
取り入れ口４１には、該取り入れ口４１の一端を覆うダクト部４４が形成されているので、このダクト部４４の作用で吸気効率を高めることができる。
そして、このダクト部４４における前記取り入れ口４１と対向するガイド壁４４ｇの凹部４２側に向かう方向の長さＬ１は、取り入れ口４１の長さＬ２より短く構成されているので、このようなダクト部４４を有する蓋部材４０は、上下の割型によって形することが可能である。
すなわち、このような構成によれば、吸気効率を高めることができると同時に、取り入れ口４１および凹部４２を容易に形成することが可能になる。
【００２７】
図９，図１０に示すように、蓋部材４０の後端には、平面視コ字状で左右一対の掛け部４５が設けられている。一方、ケース本体３０ｂの後部には、掛け部４５と係脱可能な突片３０ｂ１が左右（一方のみ図示）に形成されている。
また、図９に示すように、蓋部材４０の前端にはバネ掛け部４６が形成されている。一方、図５等に示すように、ケース本体３０ｂの上壁３５の前部に設けられた左右一対の支持部３５ｂに、両端部がクランク状に屈曲形成された棒バネ（線状のバネ）４７が回動可能に取り付けられている。
蓋部材４０は、ケース本体３０ｂの上部開口３５ｃを閉じるようにして掛け部４５をケース本体３０ｂの突片３０ｂ１に引っ掛け、棒バネ４７を回動させて、該棒バネ４７をバネ掛け部４６に弾性を利用して係合させることで、ケース本体３０ｂに対し、取り外し可能に装着される。
【００２８】
図６および、図１１，図１２に示すように、シート１３の底板１３ｂには、吸気用エアクリーナケース３０側の凹部４２と対向して上方へ凹むシート側凹部１３ｃが形成されている。
このように構成すると、疑似ダクト４３の横断面積の大きさの自由度が高まると同時に、シート１３の底板１３ｂの剛性が高められる。結果として、車両の乗り心地を高めつつ軽量化を図ることが可能になる。
【００２９】
図５および、図１１，図１２に示すように、取り入れ口４１は、車両前後方向において、吸気用エアクリーナケース３０の端部に設けられており、シート１３側凹部１３ｃはシート１３の長手方向に沿って前後方向に形成されている。
このように構成すると、疑似ダクト４３をより長く形成して吸気効率を高めることが可能になると同時に、シート１３の剛性も高めることができる。
【００３０】
図５，図６，図９に示すように、取り入れ口４１およびダクト部４４は蓋部材４０の後部に設けられており、凹部４２は、蓋部材４０の上面４０ｓと、取り入れ口４１およびダクト部４４から一体に前方に延びる左右のリブ４８ｓと、中央のリブ４８ｃとで形成されている。リブ４８ｓ、４８ｃはいずれも前方からダクト部４４に向かって徐々に高さが高くなるリブであり、中央のリブ４８ｃは、ダクト部４４を左右に仕切っている（図５，図８参照）。
このように構成すると、疑似ダクト４３内を前方からダクト部４４へ向かって流れる空気流に対する適度な整流効果が得られ、吸気効率が高くなる。
【００３１】
また、ダクト部４４は車両前方に向かって開口しているので、後輪１１ｒより離れた前側からの空気が取り入れられるため、埃等の侵入を低減してエレメント３７の寿命を延ばすことができる。
【００３２】
図４，図６に示すように、シート１３は該シート１３の左右において前後方向に延びるフレーム（図示のものはシート支持部２２ｓ）の上方に支持され、疑似ダクト４３の左右の側壁が、フレーム（２２ｓ）にて形成されている。
このように構成すると、フレームを有効利用して長い疑似ダクト４３を形成することができ、車両の軽量化も図ることができる。
【００３３】
図５等に示すように、クリーナケース３０の前部には左右一対の前側取付部３０ｆ、３０ｆが設けられ、後部には左右一対の後側取付部３０ｒ、３０ｒが設けられている。前側取付部３０ｆは前板３６の上部に一体に設けられ、後側取付部３０ｒはケース本体３０ｂの後端に一体に設けられている。
クリーナケース３０は、前側取付部３０ｆ、３０ｆを、図４，図６に示すように、リアフレーム２２のシート支持部２２ｓの前部同士を連結するクロスメンバ２２ｊに固定したクリーナケース固定部２４にボルト２４ｂで締結固定し、後側取付部３０ｒ、３０ｒを、図４に示したエアクリーナケース固定部２２ｓ４にボルトナット（図示せず）で締結固定することによって、リアフレーム２２に取り付けられる。
【００３４】
図１１，図１２に示すように、シート１３の底板１３ｂには、前側において、第１フック１３ｆ１と、第２フック１３ｆ２とがそれぞれ底板１３ｂと一体に設けられ、後側において左右一対の取付部（取付金具）１３ｒ、１３ｒが設けられている。
シート１３は、第１フック１３ｆ１を図１に示すように燃料タンク１６の上面に設けられた係合ピン（図示せず）に係合させ、第２フック１３ｆ２を図４に示すように前記クロスメンバ２２ｊに係合させ、取付部１３ｒ、１３ｒを、図４に示したシート固定部２２ｓ３にボルトナット（図示せず）で締結固定することによって、燃料タンク１６およびリアフレーム２２に取り付けられる。
【００３５】
図３，図１３，図１４に示すように、この実施の形態の鞍乗型車両の吸気構造は、前記サイドカバー１５に、その外面１５ｓから車両内側に向かう段差面１５ｄを設け、シート１３に着座しステップ１４（図１）に足を載せた姿勢の乗員Ｍの足（ＭＬ）と側面視で重ならない位置において、段差面１５ｄに、下方に向かって開く開口１５ｈを設け、吸気用エアクリーナケース３０の側面３１に、該ケース３０内に空気を取り入れる、前述した側部取り入れ口３２を設けるとともに、サイドカバー１５の内側において、前記開口１５ｈから前記側部取り入れ口３２に向かうエア導入路１８を形成してある。
【００３６】
このように構成すると、サイドカバー１５に設けられた開口１５ｈから、サイドカバー１５内側に形成されたエア導入路１８を通じ、吸気用エアクリーナケース３０の側部取り入れ口３２から吸気用エアクリーナケース３０内へと空気Ａ（図１４の矢印Ａ参照）が取り入れられる。側部取り入れ口３２は、サイドカバー１５で覆われているとともに、開口１５ｈは、サイドカバー１５の外面１５ｓから車両内側に向かう段差面１５ｄに下方に向かって開くように設けられているので、開口１５ｈへの埃等の侵入が抑制され、したがって吸気用エアクリーナケース３０への埃等の侵入を低減することができる。
【００３７】
サイドカバー１５には、その外面１５ｓから車両内側に向かう段差面１５ｄが設けられ、シート１３に着座しステップ１４に足を載せた姿勢の乗員Ｍの足ＭＬと側面視で重ならない位置において、前記段差面１５ｄに、下方に向かって開く開口１５ｈが設けられ、サイドカバー１５の内側において、開口１５ｈから側部取り入れ口３２に向かうエア導入路１８が形成されているので、吸気用エアクリーナケース３０の側面３１に空気Ａの側部取り入れ口３２を設けたにもかかわらず、車両１０の外観性を保ちながら空気Ａの取り入れ量を確保することができる。すなわち、開口１５ｈは、シート１３に着座しステップ１４に足を載せた姿勢の乗員Ｍの足ＭＬと側面視で重ならない位置において、しかもサイドカバー１５の外面１５ｓから車両内側に向かう段差面１５ｄに下方に向かって開くように設けられているので、該開口１５ｈが乗員Ｍの足ＭＬによって塞がれるという事態がほとんど生じないと同時に、外部から目視しにくい。したがって、車両の外観性を保ちながら空気Ａの取り入れ量を確保することができる。また、自車および他車が跳ね上げた泥や砂も吸いにくくなる。
【００３８】
開口１５ｈを設ける位置は、上述したように、シート１３に着座しステップ１４に足を載せた姿勢の乗員Ｍの足ＭＬと側面視で重ならない位置であれば、任意であるが、望ましくは、図１に示すように、車両前後方向において、ステップ１４よりも後方に設ける。
このように構成すると、開口１５ｈが乗員Ｍの足ＭＬによって塞がれるという事態がより一層生じにくくなる。
【００３９】
図３，図１３に示すように、この実施の形態では、開口１５ｈは下方に向けて開口しているだけでなく、斜め後方に向かって開口している。
このように構成すると、自車および他車が跳ね上げた泥や砂を一層吸いにくくなる。
【００４０】
主として図１４に示すように、サイドカバー１５は上カバー１５Ｕと下カバー１５Ｌとで構成し、上カバー１５Ｕの下辺１５ｃに前記段差面１５ｄおよび開口１５ｈを設ける。下カバー１５Ｌを車両のマフラー１７を覆う車両外側方への膨出部１５ｂを有するマフラカバーとして構成し、該マフラーカバー膨出部１５ｂの上面１５ｂ１を前記開口１５ｈに間隔を隔てて対向させる。
このように構成すると、マフラーカバー（１５Ｌ）の膨出部１５ｂによって、開口１５ｈがより目視しにくくなるので、車両の外観性を向上させることが可能になる。
また、エア導入路１８に関し、マフラーカバー膨出部１５ｂの上面１５ｂ１から開口１５ｈに向かう屈曲路１８ｃが形成されるので、その分、砂塵等の侵入をより低減させることができる。
【００４１】
主として図３，図４，図１４に示すように、マフラーカバー（１５Ｌ）の上辺１５ｆは、吸気用エアクリーナケース３０が取り付けられる車体フレーム２０（この実施の形態ではリアフレーム２２の傾斜部２２ｃ）の下縁２２ｃ１に沿って設けられているとともに、車体フレーム２０（リアフレーム２２の傾斜部２２ｃ）で、エア導入路１８の一部が形成されている。
このように構成すると、車体フレームによってエア導入路１８の一部が形成されるので、その分、下カバー１５Ｌを小さくすることができる。
【００４２】
図４に示すように、吸気用エアクリーナケース３０の側部取り入れ口３２は、車体フレーム２０のシート支持部２２ｓと傾斜部２２ｃとで形成される挟角部２２ｄ（図２参照）内に配置されている。
このように構成すると、フレーム（２２ｃ、２２ｓ）を有効に利用してエア導入路１８を形成することができると同時に、フレーム（２２ｃ、２２ｓ）を埃等の防止壁としても活用することができる。
【００４３】
図６に示すように、側部取り入れ口３２は、吸気用エアクリーナケース３０の一方の側面３１にのみ設けられており、図７に示すように他方の側面３３側に偏倚させて、吸気用エアクリーナケース３０からエンジン１２へ向かう吸気通路３４が設けられている。
このように構成すると、吸気用エアクリーナケース３０の他方の側面３３を、側部取り入れ口３２から該ケース３０内に流入した空気Ａの反射面として作用させることができるとともに、側部取り入れ口３２から吸気通路３４へと向かう空気Ａの流れをスムースにして吸気性能を向上させることができる。
側部取り入れ口３２は、ケース本体３０ｂに取り付けたダクト部材３２ｄで形成されている。
なお、ダクト部材３２ｄは、上側および前側の上カバー１５Ｕとの隙間を、後側および下側より狭めることで、埃等の侵入をより防止する構造となっている（図６，図１１参照）。
【００４４】
図３，図１５，図１６に示すように、サイドカバー１５の内面には、エア導入路１８を形成するリブ１５ｒが設けられている。
このように構成すると、エア導入路１８における空気Ａの流れをよりスムースにすることができると同時に、サイドカバー１５の強度も高めることができる。
【００４５】
図１５，図１６に示すように、上カバー１５Ｕは、側面視（図１６）で前部が上下に分かれた略Ｙ字形のカバーであり、前部上部には、シート支持部２２ｓへの掛け部１５ｇと、前部サイドカバー１９（図１，図３参照）との係合部１５ｊ、１５ｊが設けられている。前部下部には、フレームの傾斜部２２ｃへの取付部１５ｋが設けられ、後部には、前述したリアフレーム２２の後部プレート２２ｓ２におけるシート固定部２２ｓ３への取付部１５ｍが設けられている。
【００４６】
上カバー１５Ｕは、掛け部１５ｇをシート支持部２２ｓへ引っ掛け、係合部１５ｊ、１５ｊを前部サイドカバー１９の図示しない係合部と係合させ、取付部１５ｋをフレームの傾斜部２２ｃにおけるカバー固定部２２ｃ２（図２，図３参照）へボルトナット（図示せず）で締結固定し、取付部１５ｍを後部プレート２２ｓ２におけるシート固定部２２ｓ３へシート１３の取付部１３ｒとともにボルトナット（図示せず）で締結固定することで、車体の側部へ取り付けられる。
上カバー１５Ｕの上辺には、前後方向に延びる突片１５ｎが設けられており、この突片１５ｎはシート１３の側部内側に入り込む（図１４参照）。
【００４７】
図１７、図１８に示すように、下カバー１５Ｌは、先端部に設けられたフレームの傾斜部２２ｃにおけるカバー固定部２２ｃ２（図２，図３参照）への取付部１５ｐと、上辺部１５ｆの前部に設けられた上カバー１５Ｕとの係合部１５ｑ、１５ｑおよび１５ｔと、上辺部１５ｆのやや後部に設けられた、前述したリアフレーム２２の後部プレート２２ｓ２におけるサイドカバー固定部２２ｓ５への取付部１５ｖと、ヒートガード１５ｗとを有している。
【００４８】
下カバー１５Ｌは、上辺部１５ｆを上カバー１５Ｕの下辺へ接合させるようにして係合部１５ｑ、１５ｑおよび１５ｔを上カバー１５Ｕに係合させ、取付部１５ｐを上カバー１５Ｕの取付部１５ｋとともにフレームの傾斜部２２ｃにおけるカバー固定部２２ｃ２（図２，図３参照）へボルトナット（図示せず）で締結固定し、取付部１５ｖをサイドカバー固定部２２ｓ５へボルトナット（図示せず）で締結固定することで、上カバー１５Ｕの下方において車体の側部へ取り付けられる。
【００４９】
以上、本発明の実施の形態について説明したが、本発明は上記の実施の形態に限定されるものではなく、本発明の要旨の範囲内において適宜変形実施可能である。
【符号の説明】
【００５０】
１０：自動二輪車（鞍乗型車両）、１１ｆ：前輪、１１ｒ：後輪、１２：エンジン、１３：シート、１３ｂ：底板、１３ｃ：シート側凹部、３０：吸気用エアクリーナケース、４０：蓋部材、４１：取り入れ口、４２：凹部、４３：吸気通路（疑似ダクト）、４４：ダクト部。
【図１】
0005871672.tif 000002
【図２】
0005871672.tif 000003
【図３】
0005871672.tif 000004
【図４】
0005871672.tif 000005
【図５】
0005871672.tif 000006
【図６】
0005871672.tif 000007
【図７】
0005871672.tif 000008
【図８】
0005871672.tif 000009
【図９】
0005871672.tif 000010
【図１０】
0005871672.tif 000011
【図１１】
0005871672.tif 000012
【図１２】
0005871672.tif 000013
【図１３】
0005871672.tif 000014
【図１４】
0005871672.tif 000015
【図１５】
0005871672.tif 000016
【図１６】
0005871672.tif 000017
【図１７】
0005871672.tif 000018